(57)【要約】【課題】  ディスク押さえが複数設けられても、そのディスク押さえによる押さえが容易に解除可能となるディスクカートリッジの提供を課題とする。【解決手段】  一方の面に記録面１２Ｂが形成され、他方の面に非記録面１２Ａが形成された円盤状のディスクメディア１２と、ディスクメディア１２の取り出しを可能とし、非記録面１２Ａを露出させるディスク開口部３５と、記録面１２Ｂへのアクセスを可能とし、シャッター部材６０、１８によって開閉される開口２０とを有するケース１４と、ケース１４に回動可能に設けられ、ディスクメディア１２の保存時には、非記録面１２Ａを押圧保持し、ディスクメディア１２の動作時及び取出時には、非記録面１２Ａから離間するディスク押さえ２４と、を備えたディスクカートリッジ１０において、ディスク押さえ２４を、非記録面１２Ａ側からディスクメディア１２の厚み方向へ力を加えることで、その非記録面１２Ａから離間するように構成する。【選択図】        図５
2005276377.tif 000002
【特許請求の範囲】
【請求項１】
一方の面に記録面が形成され、他方の面に非記録面が形成された円盤状のディスクメディアと、
前記ディスクメディアの取り出しを可能とし、前記非記録面を露出させるディスク開口部と、前記記録面へのアクセスを可能とし、シャッター部材によって開閉される開口とを有するケースと、
前記ケースに回動可能に設けられ、前記ディスクメディアの保存時には、前記非記録面を押圧保持し、前記ディスクメディアの動作時及び取出時には、前記非記録面から離間するディスク押さえと、
を備えたディスクカートリッジにおいて、
前記ディスク押さえは、前記非記録面側から前記ディスクメディアの厚み方向へ力を加えることで、該非記録面から離間するように構成されていることを特徴とするディスクカートリッジ。
【請求項２】
前記ディスク押さえは、複数設けられていることを特徴とする請求項１に記載のディスクカートリッジ。
【請求項３】
前記ディスク押さえは、弾性部材により、前記ディスクメディア側へ向けて付勢されていることを特徴とする請求項１又は請求項２に記載のディスクカートリッジ。
【請求項４】
前記ディスク押さえは、前記ディスクメディアの取出時、該取出位置に保持可能に構成されていることを特徴とする請求項１乃至請求項３の何れか１項に記載のディスクカートリッジ。
【請求項５】
前記ディスク押さえは、前記ケースに設けられたストッパーに係止されることで、前記取出位置に保持されることを特徴とする請求項４に記載のディスクカートリッジ。
【発明の詳細な説明】
【技術分野】
【０００１】
本発明は、映像等の各種情報の記録再生媒体として用いられる円盤状のディスクメディアをケース内に収容してなるディスクカートリッジに関する。
【背景技術】
【０００２】
例えば、コンピューター用の記録再生媒体や映像の記録再生媒体として、光ディスクや光磁気ディスク等の円盤状のディスクメディアが用いられている。このようなディスクメディアは、記録又は再生を行う際には、ディスクドライブ装置に装填された状態で回転スピンドル軸によって回転されつつ、ディスクメディアの記録面側にアクセスした記録ヘッドによって、ディスクメディアの記録層へレーザー光又はレーザー光と磁場の両方が照射される。これにより、ディスクメディアでは、記録層の分解及び／又は昇温によるピット形成や相変化、磁化反転等によって情報の記録がなされ、又はレーザー光の反射率や偏光角の相違を再生ヘッドで読み取って、記録された情報の再生が行われるようになっている。
【０００３】
また、このようなディスクメディアの高記録容量化に伴い、ディスクメディアの記録面側の表面（記録面を被覆するカバー層）への塵埃の付着を防止するために、ディスクメディアをケース内に収容したディスクカートリッジが知られている（例えば、特許文献１参照）。このようなディスクカートリッジでは、ディスクメディアのセンター孔及び記録面にアクセスするための開口がケースに設けられており、その開口はシャッター部材によって開閉されるようになっている。
【０００４】
更に、ケースにおけるディスクメディアへのアクセス用の開口が設けられた下面（底板）とは反対側の上面（天板）に、ディスクメディアの取り出しを可能とするディスク開口部を設け、ケースがより薄くなるように構成したディスクカートリッジが知られている（例えば、特許文献２参照）。このように、ディスクカートリッジのケースがより薄型に構成されると、ディスクドライブ装置を薄型に設計できるので、省スペース化が図れるというメリットがある。
【０００５】
また、ディスク開口部が設けられるディスクカートリッジには、主に片面記録タイプのディスクメディアが収容されるが、そのケースには、ディスクメディアがディスク開口部から脱落しないようにするためのディスク押さえが設けられている。すなわち、所定の大きさに形成されたディスク押さえが、例えばケースの後部側に回動可能に、かつディスクメディアへ向けて付勢された状態で設けられ、このディスク押さえが、ケースに収容されたディスクメディアの上面（非記録面）の一部を押さえることで、ディスクメディアのケースからの脱落を防止するようにしている。
【特許文献１】特開２００３−１１５１８４号公報
【特許文献２】特開２００３−２４２７４０号公報
【発明の開示】
【発明が解決しようとする課題】
【０００６】
しかしながら、このような構成のディスクカートリッジでは、ディスク押さえが押さえるのは、ディスクメディアの後部側のみとなるため、ディスクメディアに対する押さえ方が不均等になり、ディスクメディアの前部側の下面（記録面）に塵埃等が入り込むおそれがあった。また、その塵埃等の進入を阻止するために、ディスク押さえの押さえ力を強くすると、長期保存や高温の環境下では、ディスクメディアに撓み変形が生じるという問題があった。
【０００７】
そのため、このディスク押さえを複数配置することが提案されたが、このディスク押さえは、ディスクドライブ装置内でディスクメディアを回転位置に保持するとき（動作時）には、ケース下側（ケース内側）から押し上げられてディスクメディアに対する押さえ（押圧保持）が解除される構成であるため、複数設けると、その解除機構が複雑になるという問題が生じる。しかも、ケースの下側には、記録及び／又は再生ヘッド等が配設されているので、そのような解除機構を設けることが困難でもある。
【０００８】
そこで、本発明は、このような問題点に鑑み、ディスク押さえが複数設けられても、そのディスク押さえによる押さえが容易に解除可能となるディスクカートリッジを得ることを目的とする。
【課題を解決するための手段】
【０００９】
上記の目的を達成するために、本発明に係る請求項１に記載のディスクカートリッジは、一方の面に記録面が形成され、他方の面に非記録面が形成された円盤状のディスクメディアと、前記ディスクメディアの取り出しを可能とし、前記非記録面を露出させるディスク開口部と、前記記録面へのアクセスを可能とし、シャッター部材によって開閉される開口とを有するケースと、前記ケースに回動可能に設けられ、前記ディスクメディアの保存時には、前記非記録面を押圧保持し、前記ディスクメディアの動作時及び取出時には、前記非記録面から離間するディスク押さえと、を備えたディスクカートリッジにおいて、前記ディスク押さえが、前記非記録面側から前記ディスクメディアの厚み方向へ力を加えることで、該非記録面から離間するように構成されていることを特徴としている。
【００１０】
請求項１の発明では、ディスク押さえが、非記録面側からディスクメディアの厚み方向へ力を加えることで、その非記録面から離間するように構成されている。すなわち、ケースの上側からディスク押さえを操作することで、ディスクメディアに対する押さえが解除される構成になっている。したがって、ディスク押さえによる押さえを容易に解除することができる。
【００１１】
また、請求項２に記載のディスクカートリッジは、請求項１に記載のディスクカートリッジにおいて、前記ディスク押さえが、複数設けられていることを特徴としている。
【００１２】
請求項２の発明では、ディスク押さえが、複数設けられているので、ディスクメディアを好適に押さえることができる。したがって、ディスクメディアの記録面側に塵埃等が入り込むおそれはない。
【００１３】
また、請求項３に記載のディスクカートリッジは、請求項１又は請求項２に記載のディスクカートリッジにおいて、前記ディスク押さえが、弾性部材により、前記ディスクメディア側へ向けて付勢されていることを特徴としている。
【００１４】
請求項３の発明では、ディスク押さえが、弾性部材により、ディスクメディア側へ向けて付勢されているので、ディスクメディアを好適に押さえることができる。
【００１５】
更に、請求項４に記載のディスクカートリッジは、請求項１乃至請求項３の何れか１項に記載のディスクカートリッジにおいて、前記ディスク押さえが、前記ディスクメディアの取出時、該取出位置に保持可能に構成されていることを特徴としている。
【００１６】
請求項４の発明では、ディスク押さえが、ディスクメディアの取出時、その取出位置に保持可能に構成されているので、ディスクメディアを容易に取り出すことができる。
【００１７】
そして、請求項５に記載のディスクカートリッジは、請求項４に記載のディスクカートリッジにおいて、前記ディスク押さえが、前記ケースに設けられたストッパーに係止されることで、前記取出位置に保持されることを特徴としている。
【００１８】
請求項５の発明では、ディスク押さえが、ケースに設けられたストッパーに係止されることで、取出位置に保持されるので、構造が簡易で済む。
【発明の効果】
【００１９】
以上、何れにしても本発明によれば、ディスク押さえが複数設けられても、そのディスク押さえによる押さえが容易に解除可能となるディスクカートリッジを提供することができる。
【発明を実施するための最良の形態】
【００２０】
以下、本発明の最良な実施の形態について、図面に示す実施例を基に詳細に説明する。なお、図１において示す矢印Ａは、ディスクカートリッジ１０のディスクドライブ装置（以下、単に「ドライブ装置」という）への装填方向を示しており、説明の便宜上、その矢印Ａで示す側を前側とする。そして、矢印Ａと直交する矢印Ｂで示す方向を上側、矢印Ａ及び矢印Ｂと直交する矢印Ｃで示す方向を右側とする。また、以下において、本発明おける「保存時」を「不使用時」、「動作時」を「使用時」として説明する場合がある。
【００２１】
図１乃至図３で示すように、ディスクカートリッジ１０は、円盤状に形成された情報記録再生媒体としてのディスクメディア１２と、ディスクメディア１２を収容するケース１４と、ディスクメディア１２へアクセスするためにケース１４の下面に設けられた開口２０（記録及び／又は再生ヘッド用窓部２０Ｂ）を開閉可能な第１シャッター部材６０を有するインナーローター１６及び第２シャッター部材１８と、インナーローター１６の回動と連動して上下動するディスク受け２２と、ディスクメディア１２の保存時に、ディスクメディア１２がケース１４の上面に設けられたディスク開口部３５から脱落しないように保持する複数（図示のものは３個）のディスク押さえ２４とで主に構成されている。
【００２２】
なお、ディスクメディア１２を除く上記各部材は、主に合成樹脂で成形される。また、ディスクカートリッジ１０の不使用時（ディスクメディア１２の保存時）に、インナーローター１６の回動を阻止して開口２０（記録及び／又は再生ヘッド用窓部２０Ｂ）の閉塞状態を維持するロック部材も設けられているが、これについての図示及び説明は省略する。
【００２３】
まず、ディスクメディア１２について説明する。ディスクメディア１２は、その一方の面（上面）が非記録面１２Ａとされ、他方の面（下面）が記録面１２Ｂとされており、その軸心部には円形のセンター孔１２Ｃが穿設されている。
【００２４】
非記録面１２Ａは、印刷等が施される印刷面であり、後述するディスク開口部３５によって常に外部へ露出されている。したがって、例えばディスクメディア１２のコンテンツ等が非記録面１２Ａに印刷されていれば、ユーザーは、ディスクメディア１２の内容を容易に把握することができる。また、その非記録面１２Ａ（印刷面）の意匠性を高めれば、ディスクカートリッジ１０全体の意匠性を向上させることができる。
【００２５】
記録面１２Ｂは、ディスクメディア１２の下面における外周縁部１２Ｅ及びセンター孔１２Ｃ周りの所定範囲（後述するチャッキングエリア１２Ｄ）を除く部分に、環状に記録層が形成されており、カバー層にて被覆保護されている。また、ディスクメディア１２の下面において、センター孔１２Ｃと記録面１２Ｂとの間の領域は、ドライブ装置の回転スピンドル軸（図示省略）がディスクメディア１２を保持するためのチャッキングエリア１２Ｄとされており、非記録面１２Ａ側にもチャッキングエリア１２Ｄが同位置にある。
【００２６】
すなわち、このディスクメディア１２は、記録面（下面）１２Ｂ側が後述するハブ孔２０Ａから進入して来る回転スピンドル軸によって保持され、非記録面（上面）１２Ａ側がディスク開口部３５から進入して来るチャッキング部材（図示省略）によって保持されて回転する構成になっている。なお、本実施例では、ディスクメディア１２の直径（外径）は略１２０ｍｍとされている。
【００２７】
次に、ケース１４について説明する。図３で示すように、ケース１４は、合成樹脂製の上シェル２６と下シェル２８とを接合してなる略矩形扁平容器状に構成されている。具体的には、ケース１４は、平面視で、前縁部が左右略対称の円弧状に形成され、後端両隅角部が斜めに切り欠かれた形状に形成されており、この形状によってドライブ装置への誤装填が防止されるようになっている。
【００２８】
上シェル２６は、平面視でケース１４の形状に対応した形状の天板３０と、天板３０の外周縁部に略沿って下方に立設された外周壁３２とを備えている。天板３０には、ディスクメディア１２の外径よりも若干大径（ディスクメディア１２が回転しても接触しない程度の大きさ）の円形孔とされたディスク開口部３５が穿設されており、そのディスク開口部３５の内周縁部には、下方に向けて所定高さの内周壁３４が立設されている。
【００２９】
そして、この内周壁３４の内側にディスクメディア１２が回転可能に収容されるようになっており、ディスク開口部３５によって、ケース１４へのディスクメディア１２の挿入、ケース１４からのディスクメディア１２の取り出しが可能となっている。なお、上シェル２６の天板３０には、ディスク開口部３５が設けられたことにより、上方への膨出部分が形成されないので、ケース１４は、ディスク開口部３５が形成されていない密閉型ディスクカートリッジのケースよりも薄く構成できる利点がある。
【００３０】
また、外周壁３２において、その右壁には略矩形状の切欠部３２Ａが形成されている。この切欠部３２Ａは、後述する下シェル２８の切欠部４２Ａと対向することにより、後述するインナーローター１６の操作突起７２を突出させるシャッター操作窓５２を構成するようになっている。
【００３１】
更に、ディスク開口部３５の周縁における天板３０（内周壁３４を含む）には、後述するディスク押さえ２４を許容する平面視略矩形状の切欠部３０Ａが等間隔に３個形成されている。そして、各切欠部３０Ａの内周縁部には、下方に向けて内周壁３４と同じ高さで連設する内壁３６が立設されている。そして、ディスクメディア１２の周方向にて対向する内壁３６には、下シェル２８に突設された軸受け部５６の軸受け溝５６Ａ（後述）と対をなしてディスク押さえ２４の軸部８６を回動自在に保持する側面視略半円弧状の軸受け溝３６Ａが形成されている。
【００３２】
一方、下シェル２８は、天板３０に略対応した形状の底板４０と、外周壁３２に略対応した形状の外周壁４２とを備えている。底板４０には、開口２０が設けられている。開口２０は、ディスクメディア１２のセンター孔１２Ｃの外径よりも大径で、かつチャッキングエリア１２Ｄの外径（記録面１２Ｂの内径）よりも若干小径とされた略円形状のハブ孔２０Ａと、ハブ孔２０Ａの左右方向に引いた直径よりも前方に連設された略矩形状の記録及び／又は再生ヘッド用窓部２０Ｂとで構成され、全体として前方に開口する平面視略「Ｕ」字状に形成されている。なお、ハブ孔２０Ａと記録及び／又は再生ヘッド用窓部２０Ｂの形状は、これに限定されるものではなく、互いに独立して設けられてもよい。
【００３３】
ハブ孔２０Ａは、上シェル２６と下シェル２８とが接合された状態で、収容されたディスクメディア１２と略同軸となるように配置されている。そして、ハブ孔２０Ａは、上記寸法とされることで、不使用時において、センター孔１２Ｃ及びチャッキングエリア１２Ｄのみを外部に露出し、記録層が設けられた領域を外部に露出しない構成とされている。また、記録面１２Ｂを露出するための記録及び／又は再生ヘッド用窓部２０Ｂは、その左端縁がハブ孔２０Ａの前後方向に沿う接線よりも左方に位置するように拡幅されており、その前部は外周壁４２を切り欠いて前方に開口している。
【００３４】
また、ハブ孔２０Ａにドライブ装置の回転スピンドル軸が進入して、ディスクメディア１２のセンター孔１２Ｃ及びチャッキングエリア１２Ｄを係合保持しつつ、ディスクメディア１２を回転駆動するようになっている。そして、記録及び／又は再生ヘッド用窓部２０Ｂにドライブ装置の記録及び／又は再生ヘッドが進入して、ディスクメディア１２の記録層に対し、情報の記録又は再生を行うようになっている。なお、このとき、記録及び／又は再生ヘッド用窓部２０Ｂが前方にも開口していることから、記録及び／又は再生ヘッドは、記録層の最外周（外周縁部１２Ｅの内周に略達する位置）まで容易にアクセス可能となっている。
【００３５】
底板４０において、その後部側内面には、一対のボス４４、４６が所定間隔を隔てて突設されている。左側のボス４４は平面視円形状に形成され、右側のボス４６は左右方向が長い平面視略楕円形状に形成されている。各ボス４４、４６には、位置決め孔４４Ａ、４６Ａが穿設されており、各位置決め孔４４Ａ、４６Ａにドライブ装置の位置決めピン（図示省略）が挿入されることにより、ディスクカートリッジ１０のドライブ装置内での位置決めがなされるようになっている。
【００３６】
また、底板４０には、後述するインナーローター１６を内側に収容して回動可能に保持するリブ状の内壁５０が立設されている。この内壁５０は、平面視でインナーローター１６よりも若干大径とされた不連続な円弧状に形成されている。そして、記録及び／又は再生ヘッド用窓部２０Ｂの左右両縁部の前端には、それぞれ前端が外周壁４２に連設し、後端が内壁５０に連設する防塵リブ４８が立設されている。なお、防塵リブ４８及び内壁５０の高さは、インナーローター１６の環状壁部６２の高さと同等とされている。
【００３７】
また、外周壁４２において、その右壁には上シェル２６の外周壁３２に形成された切欠部３２Ａに対応した略矩形状の切欠部４２Ａが形成されている。したがって、上シェル２６と下シェル２８とを互いの外周壁３２、４２の端面を突き当てた状態で、ビス止めや超音波溶着等によって接合してケース１４を組み立てた際、インナーローター１６の操作突起７２を突出させるシャッター操作窓５２が形成される構成である。なお、このシャッター操作窓５２はケース１４の右壁側に設けられるものに限定されるものではなく、ドライブ装置との関係やインナーローター１６（第１シャッター部材６０）及び第２シャッター部材１８の形状等により、適宜その配設位置は変更される。
【００３８】
また、底板４０の内面において、天板３０に形成された切欠部３０Ａと対応する位置には、後述するディスク押さえ２４の軸部８６を軸支する一対の軸受け部５６が突設されている。各軸受け部５６には、上シェル２６側の軸受け溝３６Ａと対をなして、ディスク押さえ２４の軸部８６を回動自在に保持する側面視略半円弧状の軸受け溝５６Ａが形成されている。したがって、上シェル２６を下シェル２８に被せてケース１４を組み立てたとき（内壁３６の下端面と軸受け部５６の上端面とを当接させたとき）には、軸受け溝３６Ａと軸受け溝５６Ａとの間にディスク押さえ２４の軸部８６を回動可能に保持できる側面視略円形状の空隙が形成される構成である。
【００３９】
また、各軸受け部５６間の中央で、かつディスクメディア１２の径方向内側の所定位置には、ディスク押さえ２４に突設された係止部８２（後述）を、ディスクメディア１２の取り出しが可能となる取出位置に係止保持するストッパーとしての半球状の凸部７０が突設されている。そして、その凸部７０よりもディスクメディア１２の径方向外側の所定位置には、後述する弾性部材としてのコイルばね９０を保持する略円筒状のばね保持部３８が突設されている。なお、ストッパーは、図示の凸部７０に限定されるものではなく、係止部８２を好適に係止できるものであれば、どのような形状のものでもよい。また、弾性部材も図示のコイルばね９０に限定されるものではなく、板ばねやトーションばね等にしてもよい。
【００４０】
その他、底板４０の内面には、図３で示すように、インナーローター１６の下面に突設された係合突起６８が係合する略楕円形状の凹部５４、５５が所定間隔を隔てて形成されている。この凹部５４、５５は、互いに対向する側が緩やかな傾斜面となるように形成されている。更に、底板４０の内面で、かつ凹部５４、５５よりも前部側のディスク押さえ２４と干渉しない位置には、後述するディスク受け２２を底板４０に対して上下動可能に支持する一対のガイドピン５８が所定間隔を隔てて突設されている。
【００４１】
次に、インナーローター１６に一体に設けられている第１シャッター部材６０と第２シャッター部材１８について説明する。インナーローター１６と第２シャッター部材１８は、下シェル２８の底板４０上に配置される。そして、第１シャッター部材６０と第２シャッター部材１８とが互いに反対方向に回動することにより、開口２０、即ち記録及び／又は再生ヘッド用窓部２０Ｂが開閉されるようになっており、記録及び／又は再生ヘッド用窓部２０Ｂの開放時に、記録面１２Ｂの一部が外部に露出することにより、ドライブ装置の記録及び／又は再生ヘッドによるアクセスが可能となる構成である。
【００４２】
インナーローター１６は、ディスクメディア１２の記録面１２Ｂと所定の間隙を有して対面する第１シャッター部材６０と、ディスクメディア１２を内側に収容可能とする環状壁部６２と、第１シャッター部材６０と環状壁部６２との間に形成され、ディスクメディア１２の記録面１２Ｂ側の外周縁部１２Ｅを下方から支持するように上方に向けて隆起した外周受け部６４とを有している。環状壁部６２は、ケース１４を組み立てたときには、下シェル２８の内壁５０の内側で、かつ上シェル２６の内周壁３４の外側に回動可能に配置されるようになっており、環状壁部６２の上端が上シェル２６（天板３０）によって被覆されるようになっている。
【００４３】
インナーローター１６の中心には、ハブ孔２０Ａに対応する平面視円弧状の切欠部６０Ａが形成されており、インナーローター１６の略左半分側には、第２シャッター部材１８を許容する切欠部６０Ｂが形成されている。切欠部６０Ａは切欠部６０Ｂと連通しており、その切欠部６０Ａから連続する切欠部６０Ｂの右端縁が、開口２０（記録及び／又は再生ヘッド用窓部２０Ｂ）の開放時、その記録及び／又は再生ヘッド用窓部２０Ｂの右端縁よりも外方側に拡開する平面視円弧状とされ、第２シャッター部材１８との突当部６５とされている。
【００４４】
また、切欠部６０Ａ周りには、ディスクメディア１２のチャッキングエリア１２Ｄを下方から支持する平面視円弧状の内周受け部６６が突設されており、切欠部６０Ｂ側における外周受け部６４（インナーローター１６）の下面の所定位置には、第２シャッター部材１８をインナーローター１６（第１シャッター部材６０）と連動して移動させるための係合突起６８が突設されている。そして、環状壁部６２の外周面の所定位置には、シャッター操作窓５２から突出する操作突起７２が径方向に向かって突設されている。
【００４５】
更に、環状壁部６２の所定位置、即ち開口２０の開放時に記録及び／又は再生ヘッド用窓部２０Ｂと対応する部分の略下半分側には、外周受け部６４を含んで略矩形状に切り欠かれた切欠部６２Ａが形成されており、インナーローター１６の下面で、第２シャッター部材１８と重なる部分には、その第２シャッター部材１８の板厚分をある程度許容する凹部６２Ｂが形成されている。そして、環状壁部６２の上面で、切欠部６２Ａよりも左側の所定位置には、後述するディスク受け２２と係合するカム段部６２Ｃが形成されている（図４参照）。
【００４６】
第２シャッター部材１８は、左側のボス４４の外周に挿嵌される孔部７４Ａを有するボス７４を有しており、ボス４４を中心に回動可能となるように構成されている。つまり、ボス４４が第２シャッター部材１８の回動支点となっている。そして、第２シャッター部材１８のボス７４から最も遠い対辺側の端面が、第１シャッター部材６０の突当部６５に当接する平面視円弧状の突当部７５とされている。
【００４７】
また、第２シャッター部材１８には、ハブ孔２０Ａに対応する平面視円弧状の切欠部１８Ａが形成されており、その切欠部１８Ａ周りには、開口２０（記録及び／又は再生ヘッド用窓部２０Ｂ）の閉塞時に、第１シャッター部材６０の内周受け部６６の側面と当接することにより、所定高さの環状凸部を構成する平面視円弧状の内周受け部７６が突設されている。この内周受け部６６、７６の上面がチャッキングエリア１２Ｄに当接して、ディスクメディア１２を外周受け部６４と共に下方から支持することにより、記録面１２Ｂへの塵埃等の進入が防止される構成である。
【００４８】
また、第２シャッター部材１８の所定位置には、平面視略「く」字状の細長いガイド孔７８が穿設されている。このガイド孔７８に、インナーローター１６に突設された係合突起６８が挿入されて係合することにより、第２シャッター部材１８がインナーローター１６（第１シャッター部材６０）と連動して、互いに反対方向へ回動可能となる構成である。
【００４９】
なお、係合突起６８は、ガイド孔７８を突き抜けて凹部５４、５５内に挿入されるようになっている。つまり、係合突起６８の突出高さは、第２シャッター部材１８の板厚よりも凹部５４、５５の深さ程度（同一である必要はない）高くなっている。また、これら第１シャッター部材６０及び第２シャッター部材１８と、内周壁３４及び環状壁部６２とで、ディスクメディア１２の収容空間である収容部が形成されるようになっている。
【００５０】
次に、ディスク受け２２について説明する。ディスク受け２２は、切欠部６２Ａを形成したことにより、外周受け部６４の一部が省略されたのを補うためのもので、開口２０（記録及び／又は再生ヘッド用窓部２０Ｂ）の閉塞時に、その切欠部６２Ａを閉塞するように架橋されている。具体的には、内側に環状壁部６２を収容可能な断面視略「コ」字状に形成され、平面視で環状壁部６２と曲率が同一の円弧状となるように形成されている。そして、ガイドピン５８に沿って上下動可能となるように、そのガイドピン５８が係合する一対の係合溝（図示省略）が両端部に形成されている。
【００５１】
また、このディスク受け２２は、図４で示すように、インナーローター１６の回動に伴って上下動するように、その上壁２２Ａの下面左端部に、カム段部６２Ｃと係合するカム突起２２Ｃが形成されている。したがって、開口２０（記録及び／又は再生ヘッド用窓部２０Ｂ）の閉塞時には、カム突起２２Ｃが環状壁部６２の上面に支持されることにより、ディスク受け２２は上昇位置にあって切欠部６２Ａを閉塞する。そして、これにより、欠けている外周受け部６４の一部を補い、ディスクメディア１２の外周縁部１２Ｅを、その外周受け部６４と共に支持する。
【００５２】
一方、開口２０（記録及び／又は再生ヘッド用窓部２０Ｂ）の開放時には、カム突起２２Ｃがカム段部６２Ｃに係合することにより、ディスク受け２２は下降位置にあってインナーローター１６の移動（回動）を許容する。なお、ディスク受け２２の下壁２２Ｂの左端部には上向きのテーパー面が形成され、外周受け部６４の切欠部６２Ａの左辺縁部に臨む端部には下向きのテーパー面が形成されている。したがって、インナーローター１６の回動に伴って、外周受け部６４は、その下壁２２Ｂ上に容易に乗り上げられる構成である。また、下壁２２Ｂの右端部にも、下向きのテーパー面が形成されており、外周受け部６４に形成された上向きのテーパー面と面接するようになっている。
【００５３】
次に、本発明の要部であるディスク押さえ２４について説明する。このディスク押さえ２４は、図１乃至図３、図５、図６で示すように、ディスク開口部３５の周縁に等間隔に３個設けられ、平面視略「Ｄ」字状をなす平板状の押さえ部８０と、押さえ部８０の下面に、押さえ部８０と共に側面視略「ト」字状をなすようにディスクメディア１２の径方向内側に向かって所定角度で突設された平板状の係止部８２と、係止部８２よりもディスクメディア１２の径方向外側の押さえ部８０の下面に突設された略円筒状のばね保持部８４と、押さえ部８０の両側面の略中央に突設された円柱状の軸部８６とで構成されている。
【００５４】
したがって、このディスク押さえ２４は、軸部８６が上シェル２６の軸受け溝３６Ａと下シェル２８の軸受け溝５６Ａとの間に保持されることで、その軸部８６を中心に回動可能となる構成であり、ばね保持部３８、８４間に弾性部材としてのコイルばね９０が保持されることにより、その平面視略円弧状の先端８０Ａが、常時ディスクメディア１２側へ付勢される構成になっている。
【００５５】
つまり、この先端８０Ａにより、ディスクメディア１２の非記録面１２Ａ側の外周縁部１２Ｅが押圧保持されるようになっており、これによって、ディスクメディア１２がディスク開口部３５から脱落しないように、かつ、保存時において収容部内でガタつかないように、更には、記録面１２Ｂに塵埃等が進入しないようになっている。なお、このように、押さえ部８０（ディスク押さえ２４）がディスクメディア１２の外周縁部１２Ｅのみを押さえる構成であると、非記録面１２Ａ、即ち印刷面を傷つけるおそれがないので好ましい。
【００５６】
また、係止部８２は、底板４０に突設された凸部７０と係合するようになっている。すなわち、ディスクメディア１２をケース１４から取り出すときには、図６（Ｃ）で示すように、押さえ部８０の後端８０Ｂ側をコイルばね９０の付勢力に抗して下方に向けて押圧し、軸部８６を中心に押さえ部８０を回動させて、その先端８０Ａをディスクメディア１２の外周縁部１２Ｅから離間させる。すると、係止部８２がディスクメディア１２の径方向外側から凸部７０を乗り越えて、その凸部７０に係止されるので、ディスク押さえ２４は、そのディスクメディア１２の取出位置に保持可能となる。
【００５７】
なお、ディスクメディア１２を再びケース１４に戻したときには、押さえ部８０の先端８０Ａ側を下方に向けて押圧すればよい。これにより、係止部８２が凸部７０をディスクメディア１２の径方向内側から乗り越えて、その係止保持が解除されるので、押さえ部８０の先端８０Ａは、コイルばね９０の付勢力により、軸部８６を中心にディスクメディア１２側へ回動し、再びディスクメディア１２の外周縁部１２Ｅを押圧保持する（図６（Ａ）参照）。
【００５８】
また、ドライブ装置内におけるディスクメディア１２の動作時（回転時）には、ドライブ装置に設けられた操作部材（図示省略）が、ディスクカートリッジ１０の上方より接近し、押さえ部８０の後端８０Ｂ側をコイルばね９０の付勢力に抗して下方に向けて押圧する。すると、軸部８６を中心に押さえ部８０が回動し、その先端８０Ａがディスクメディア１２の外周縁部１２Ｅから離間するが、このときには、図６（Ｂ）で示すように、係止部８２が凸部７０を乗り越えることはない。
【００５９】
すなわち、ディスクメディア１２の動作時（回転時）には、ドライブ装置の操作部材が、押さえ部８０の後端８０Ｂ側を、係止部８２が凸部７０を乗り越えない程度に押圧し続けることにより、押さえ部８０の先端８０Ａを、ディスクメディア１２の回転を許容する動作位置に保持する構成であり、これによって、ドライブ装置から排出されたときには、自動的に押さえ部８０の先端８０Ａが、ディスクメディア１２の外周縁部１２Ｅを押圧保持できる構成である。
【００６０】
つまり、ディスクカートリッジ１０がドライブ装置から排出されるときには、その操作部材が押さえ部８０の後端８０Ｂ側から離間するが、このとき、ディスク押さえ２４は、その係止部８２が凸部７０に係止されていないので、押さえ部８０の先端８０Ａは、コイルばね９０の付勢力によって、軸部８６を中心にディスクメディア１２側へスムーズに回動し、その外周縁部１２Ｅを押圧保持できる（図６（Ａ）参照）。
【００６１】
なお、押さえ部８０の後端８０Ｂ側には、そこを押圧する旨をユーザーに認識させるための識別手段８８（例えば波状の模様等）を施すことが好ましい。また、ディスク押さえ２４自体を弾性体で構成するようにしてもよい。すなわち、ディスク押さえ２４自体を板ばね等で構成して、コイルばね９０等の弾性部材を省略する構成としてもよい。何れにしても、ディスク押さえ２４は、ディスクメディア１２を保持する保存位置、ディスクメディア１２を回転可能とする動作位置、ディスクメディア１２を取出可能とする取出位置の３つの状態（姿勢）に保持可能とされている。
【００６２】
また、図７で示すように、細長い略半月型形状の押さえ部８１を備えたディスク押さえ２５を等間隔に（左右対称に）２個設けてもよい。このディスク押さえ２５は、その押さえ部８１がディスクメディア１２の左右両側における非記録面１２Ａ（外周縁部１２Ｅを含む）を広く押さえる点を除いて、上記ディスク押さえ２４と略同様に構成されている。したがって、上記ディスク押さえ２４と同等の部位には同じ符号を付して、その説明は省略するが、このような形状のディスク押さえ２５（押さえ部８１）にすれば、上記ディスク押さえ２４の押さえ部８０よりもディスクメディア１２を押さえる面積が大きくなるので、ディスクメディア１２に対する単位面積当たりの押圧力を小さくすることができる。
【００６３】
つまり、ディスクメディア１２に対し、部分的に過大な負荷を掛けないで済むため、（長期）保存時において、ディスクメディア１２の撓み変形等を抑止することができ、これによって、記録された情報の破損や消失等のトラブルの発生を防止することができる。なお、ディスク押さえ２４、２５は、何れもディスクメディア１２の周方向に等間隔に（均等に）配置され、かつ、その押さえ部８０、８１の面積及び押圧力がそれぞれ等しくなるように構成されることが好ましい。
【００６４】
以上のような構成のディスクカートリッジ１０において、次に、その作用について、図２、図４、図６、図８乃至図１２を基に説明する。上シェル２６及びディスクメディア１２を取り除いた図８で示すように、ディスクカートリッジ１０の不使用時（ディスクメディア１２の保存時）には、開口２０（記録及び／又は再生ヘッド用窓部２０Ｂ）が第１シャッター部材６０及び第２シャッター部材１８によって閉塞されている。
【００６５】
すなわち、第１シャッター部材６０と第２シャッター部材１８とが、互いの突当部６５、７５を突き合せることで記録及び／又は再生ヘッド用窓部２０Ｂを閉塞している。なお、この突当部６５、７５は、互いに上下に重ね合わせ可能なように、テーパー面又は段部を有するように形成されることが好ましく、この方がケース１４内への塵埃の侵入を確実に阻止することができる。
【００６６】
また、このとき、内周受け部６６、７６は、その側面が互いに当接することにより、環状に形成されている。そして、インナーローター１６の下面に突設されている係合突起６８は、第２シャッター部材１８のガイド孔７８の後端部側を貫通して下シェル２８の凹部５４に挿入されている。更に、ディスク受け２２は、上昇位置に保持されて切欠部６２Ａを閉塞している。
【００６７】
したがって、ディスクメディア１２は、記録面１２Ｂ側のチャッキングエリア１２Ｄが内周受け部６６、７６により支持され、記録面１２Ｂ側の外周縁部１２Ｅが外周受け部６４により支持されて収容部内に収容され、その記録面１２Ｂが外部から完全に遮断されている。つまり、このディスクカートリッジ１０は、ディスク開口部３５が設けられていることにより、ディスクメディア１２の非記録面１２Ａ側に塵埃等が付着することはあるが、不使用時には、開口２０（記録及び／又は再生ヘッド用窓部２０Ｂ）が第１シャッター部材６０及び第２シャッター部材１８によって閉塞されているので、その記録面１２Ｂ側に塵埃等が付着することはない。
【００６８】
また、上シェル２６及びディスクメディア１２を取り付けた図２、図６（Ａ）で示すように、ディスクカートリッジ１０の不使用時（ディスクメディア１２の保存時）には、ディスク押さえ２４の押さえ部８０が、コイルばね９０の付勢力によってディスクメディア１２の非記録面１２Ａ側における外周縁部１２Ｅに当接して、その外周縁部１２Ｅを好適に押さえている（押圧保持している）。したがって、ディスクメディア１２はディスク開口部３５から脱落しないし、収容部内においてガタつくことがない。また、このディスク押さえ２４は、等間隔に３個設けられているので、ディスクメディア１２に対する押さえ方が均等になっている。よって、記録面１２Ｂへの塵埃等の進入を好適に防止することができる。
【００６９】
なお、ディスクメディア１２の非記録面１２Ａは、ディスク開口部３５によって常に外部に露出しているので、非記録面１２Ａに印刷されたディスクメディア１２のコンテンツ等はユーザーに容易に把握される。また、その非記録面１２Ａに印刷された内容により、ディスクメディア１２の意匠性が高められるので、結果的にディスクカートリッジ１０の意匠性が高められる。
【００７０】
さて、このようなディスクカートリッジ１０をドライブ装置に装填して記録又は再生を行うが、ディスクカートリッジ１０はドライブ装置の装填口に装填されると、第１シャッター部材６０（インナーローター１６）及び第２シャッター部材１８が互いに反対方向へ回動することにより、開口２０（記録及び／又は再生ヘッド用窓部２０Ｂ）が開放され、かつ、また、位置決め孔４４Ａ、４６Ａに位置決めピン（図示省略）が挿入されて、ドライブ装置内での位置決めがなされる。
【００７１】
すなわち、ドライブ装置の開閉部材（図示省略）が、シャッター操作窓５２の前端側から突出している操作突起７２に係合し、その操作突起７２をケース１４の後方に向かって移動させる。すると、図９で示すように、インナーローター１６が、ハブ孔２０Ａを中心に内壁５０に沿って時計方向に回動し始め、突当部６５、７５及び内周受け部６６、７６の側面が互いに離間し始める。そして、図４で示すように、ディスク受け２２のカム突起２２Ｃが環状壁部６２のカム段部６２Ｃと係合し始め、ディスク受け２２がガイドピン５８に沿って下降する。ディスク受け２２が下降することにより、インナーローター１６の回動が完全に許容される。
【００７２】
また、このとき、係合突起６８はガイド孔７８内を摺動し、第２シャッター部材１８がボス４４を中心に反時計方向へ回動し始める。更に、このとき、凹部５４は少なくとも係合突起６８が出て行く摺動方向側が緩やかな傾斜面とされているので、インナーローター１６の回動に伴って係合突起６８は凹部５４内からスムーズに外れて、下シェル２８の底板４０上を摺動し始める。
【００７３】
ここで、係合突起６８は第２シャッター部材１８の板厚よりも高く形成されているので、インナーローター１６の少なくとも係合突起６８付近は、その係合突起６８により、第２シャッター部材１８上及び下シェル２８の底板４０上から所定高さ上昇する。つまり、ディスクメディア１２は、記録面１２Ｂ側の外周縁部１２Ｅが外周受け部６４に支持された状態で、記録面１２Ｂ側のチャッキングエリア１２Ｄが第２シャッター部材１８の内周受け部７６から離間する。これにより、第２シャッター部材１８は、その内周受け部７６が記録面１２Ｂに接触することなく、反時計方向に回動可能となる。
【００７４】
その後、更に、図１０で示すように、インナーローター１６が時計方向に回動し、それに伴って第２シャッター部材１８が反時計方向に回動することにより、記録及び／又は再生ヘッド用窓部２０Ｂが開放され始める。そして、第２シャッター部材１８は、係合突起６８がガイド孔７８の屈曲された中途部に到達した時点で、その反時計方向への回動が停止する。このとき、第２シャッター部材１８の最右側にある切欠部１８Ａ（内周受け部７６）の右前端部は、記録及び／又は再生ヘッド用窓部２０Ｂの左端縁よりも左側に位置する。
【００７５】
一方、インナーローター１６は、図１１で示すように、第２シャッター部材１８の回動が停止した後も更に時計方向に回動し、それに伴って係合突起６８がガイド孔７８内を摺動する。そして、その係合突起６８がガイド孔７８の前端部側に到達すると、図１２で示すように、記録及び／又は再生ヘッド用窓部２０Ｂが完全に開放される。なお、このとき、操作突起７２は、シャッター操作窓５２の後端側に位置し、係合突起６８は、下シェル２８の凹部５５内に挿入される。この凹部５５も少なくとも係合突起６８が入って来る摺動方向側が緩やかな傾斜面とされているので、その係合突起６８はスムーズに凹部５４内に挿入される。
【００７６】
また、これにより、インナーローター１６は第２シャッター部材１８上及び下シェル２８の底板４０上に下降するが、このとき、すでにドライブ装置側の操作部材（図示省略）が、ディスク押さえ２４の押さえ部８０の後端８０Ｂ側を、係止部８２が凸部７０に係止されない程度に下方に向かって押圧し、図６（Ｂ）で示すように、押さえ部８０の先端８０Ａをコイルばね９０の付勢力に抗して所定高さ上昇させて、ディスクメディア１２の外周縁部１２Ｅから離間させている。
【００７７】
そして、ディスクメディア１２のセンター孔１２Ｃ及びチャッキングエリア１２Ｄが、ハブ孔２０Ａから進入して来たドライブ装置の回転スピンドル軸とディスク開口部３５から進入してきたチャッキング部材によって保持（チャッキング）されて、ディスクメディア１２自体が回転許容位置まで上昇している（記録面１２Ｂ側の外周縁部１２Ｅが外周受け部６４から離間している）。したがって、その記録面１２Ｂが、第２シャッター部材１８の内周受け部７６に接触することはなく、ディスクメディア１２の動作時（回転時）において、ディスク押さえ２４とディスクメディア１２との干渉が回避されている。
【００７８】
こうして、記録及び／又は再生ヘッド用窓部２０Ｂ（開口２０）が開放され、ディスク押さえ２４による押さえ（押圧保持）が解除されたディスクメディア１２は、回転スピンドル軸によって回転させられながら、記録及び／又は再生ヘッド用窓部２０Ｂから進入して来たドライブ装置の記録及び／又は再生ヘッドにより、記録面１２Ｂへの情報の記録、又は記録面１２Ｂに記録された情報の再生が行われる。
【００７９】
一方、ディスクカートリッジ１０をドライブ装置から取り出すときには、まず、位置決め孔４４Ａ、４６Ａから位置決めピンが抜き出されて、ディスクカートリッジ１０のドライブ装置内での位置決めが解除される。そして、ドライブ装置の操作部材が、ディスク押さえ２４の押さえ部８０の後端８０Ｂ側から離間し、これによって、その押さえ部８０の先端８０Ａが、コイルばね９０の付勢力により、ディスクメディア１２の非記録面１２Ａ側の外周縁部１２Ｅを再び押圧保持する。
【００８０】
また、ドライブ装置の排出機構等（図示省略）によって、ディスクカートリッジ１０がドライブ装置の装填口から排出される方向へ移動し始める。すると、ドライブ装置の開閉部材が、シャッター操作窓５２の後端側から突出している操作突起７２をケース１４の前方に向かって移動させ、インナーローター１６が、ハブ孔２０Ａを中心に内壁５０に沿って、図８乃至図１２における反時計方向に回動し始める。そして、ガイド孔７８の前端部側に位置していた係合突起６８が、そのガイド孔７８に沿ってケース１４の後方側へ移動するとともに凹部５５から外れる。このとき、凹部５５の係合突起６８が出て行く摺動方向側は緩やかな傾斜面とされているので、係合突起６８はスムーズに凹部５５から外れる。
【００８１】
そして、インナーローター１６が反時計方向に回動し、係合突起６８がガイド孔７８の屈曲された中途部を過ぎると、第２シャッター部材１８が時計方向に回動し始める。このとき、すでに回転スピンドル軸及びチャッキング部材によるディスクメディア１２の保持（チャッキング）は解除されているが、係合突起６８は、凹部５５から外れて底板４０上を摺動しているので、インナーローター１６の少なくとも係合突起６８付近は、所定高さ上昇している。したがって、第２シャッター部材１８の内周受け部７６が記録面１２Ｂに接触することはない。
【００８２】
そして更に、インナーローター１６が反時計方向に回動し、第２シャッター部材１８が時計方向に回動することにより、記録及び／又は再生ヘッド用窓部２０Ｂが閉塞されて行くが、これに伴ってカム段部６２Ｃにカム突起２２Ｃが係合し始め、ディスク受け２２がガイドピン５８に沿って上昇し始める。そして、図８で示すように、突当部６５に突当部７５が当接し、内周受け部６６の側面に内周受け部７６の側面が当接することにより、記録及び／又は再生ヘッド用窓部２０Ｂが閉塞され、かつ切欠部６２Ａがディスク受け２２によって閉塞される。
【００８３】
なお、このとき、係合突起６８が凹部５４内に、その傾斜面によってスムーズに挿入され、インナーローター１６が所定高さ下降することにより、内周受け部６６、７６上にチャッキングエリア１２Ｄが載置される。つまり、ディスクメディア１２は、記録面１２Ｂ側の外周縁部１２Ｅが外周受け部６４によって支持され、記録面１２Ｂ側のチャッキングエリア１２Ｄが内周受け部６６、７６によって支持される。これにより、記録面１２Ｂが再度外部から遮断された状態となり、記録面１２Ｂへの塵埃等の付着が防止された状態となったディスクカートリッジ１０がドライブ装置の装填口から排出される。
【００８４】
以上がディスクメディア１２をディスクカートリッジ１０ごとドライブ装置に装填する場合の作用であるが、ドライブ装置によっては、ディスクメディア１２のみを装填する場合もある。この場合には、ディスクカートリッジ１０からディスクメディア１２を取り出す。つまり、ユーザーがディスク押さえ２４の押さえ部８０の後端８０Ｂ側を、係止部８２が凸部７０を乗り越えるまで下方に向かって押圧する。
【００８５】
すると、ディスク押さえ２４は、図６（Ｃ）で示すように、係止部８２が凸部７０に係止され、その取出位置に保持されるので、ディスク開口部３５からのディスクメディア１２の取り出しが容易にできる。なお、ディスクメディア１２を再度ケース１４内に収容する場合は、ディスク開口部３５からディスクメディア１２を挿入し、ディスク押さえ２４の押さえ部８０の先端８０Ａ側を、係止部８２が凸部７０を乗り越えるまで下方に向かって押圧すればよい。
【００８６】
これにより、押さえ部８０の先端８０Ａは、コイルばね９０の付勢力によって、再度ディスクメディア１２側へ付勢されるので、ディスクメディア１２は、押さえ部８０の先端８０Ａにより、再度押圧保持されることになる。つまり、ディスクメディア１２は、ディスク開口部３５からの脱落及び収容部内でのガタつき、更には記録面１２Ｂへの塵埃等の進入が再度防止された状態となる。なお、ディスク押さえ２４は、その係止部８２が底板４０に突設された凸部７０（ストッパー）に係止されるだけで取出位置に保持可能とされるので、その構造が簡易で済む利点がある。
【００８７】
以上、何れにしてもディスク押さえ２４は、ディスクカートリッジ１０の上方側から下方側へ向かう（ディスクメディア１２の非記録面１２Ａ側からディスクメディア１２の厚み方向へ向かう）押圧力により、ディスクメディア１２に対する押圧保持が解除されるので、ドライブ装置側の設計の自由度を向上させることができ、上記した操作部材を含む解除機構を容易に構成することができる。
【００８８】
すなわち、ドライブ装置において、ディスクカートリッジ１０の上方側は、記録及び／又は再生ヘッドが設けられていない部位であるため、スペースの確保が容易であり、ディスク押さえ２４を解除するための操作部材等を組み込みやすい構成になっている。したがって、複数のディスク押さえ２４が設けられているディスクカートリッジ１０であっても、その解除操作が容易にできる。しかも、このディスク押さえ２４は、不使用時において、ディスクメディア１２の非記録面１２Ａ側における外周縁部１２Ｅを押圧保持するため、印刷面とされる非記録面１２Ａに傷がつくおそれがない。
【００８９】
なお、上記実施例では、片面に記録面１２Ｂが形成されたディスクメディア１２としたが、両面に記録面が設けられたディスクメディアでも、ディスク押さえ２４が押さえる部位はディスクメディア１２の外周縁部１２Ｅのみであるため適用が可能である。また、ディスクメディア１２は、例えばユーザーによって情報の記録が不能とされた再生専用のディスクメディアであってもよい。更に、上記実施例では、ディスクメディア１２の直径が略１２０ｍｍである構成としたが、本発明はこれに限定されず、如何なる寸法のディスクメディアを備えるディスクカートリッジ１０についても適用が可能である。
【図面の簡単な説明】
【００９０】
【図１】ディスクカートリッジの概略斜視図
【図２】ディスクカートリッジの外観を示す概略平面図
【図３】ディスクカートリッジの構成を示す概略分解斜視図
【図４】ディスク受けの動作説明図
【図５】ディスク押さえの構成を示す概略分解斜視図
【図６】ディスク押さえの動作説明図
【図７】別のディスク押さえを有するディスクカートリッジの外観を示す概略平面図
【図８】第１シャッター部材及び第２シャッター部材の動作説明図
【図９】第１シャッター部材及び第２シャッター部材の動作説明図
【図１０】第１シャッター部材及び第２シャッター部材の動作説明図
【図１１】第１シャッター部材及び第２シャッター部材の動作説明図
【図１２】第１シャッター部材及び第２シャッター部材の動作説明図
【符号の説明】
【００９１】
１０  ディスクカートリッジ
１２  ディスクメディア
１２Ａ  非記録面
１２Ｂ  記録面
１４  ケース
１６  インナーローター
１８  第２シャッター部材
２０  開口
２２  ディスク受け
２４  ディスク押さえ
２６  上シェル
２８  下シェル
３５  ディスク開口部
３８  ばね保持部
６０  第１シャッター部材
７０  凸部（ストッパー）
８０  押さえ部
８２  係止部
８４  ばね保持部
８６  軸部
９０  コイルばね（弾性部材）
【図１】
2005276377.tif 000003
【図２】
2005276377.tif 000004
【図３】
2005276377.tif 000005
【図４】
2005276377.tif 000006
【図５】
2005276377.tif 000007
【図６】
2005276377.tif 000008
【図７】
2005276377.tif 000009
【図８】
2005276377.tif 000010
【図９】
2005276377.tif 000011
【図１０】
2005276377.tif 000012
【図１１】
2005276377.tif 000013
【図１２】
2005276377.tif 000014